(57)【要約】【課題】塵埃を除去することができる清掃装置を提供すること。【解決手段】帯電粒子を含み揮発性を有する溶液を保持する保持部２と、保持部２に保持された溶液を出力する出力部６と、帯電粒子と逆極性の電位を有し、帯電粒子を引きつけて回収する回収部８とを含むことを特徴とする。【選択図】図２
2008160656.tif 000002
【特許請求の範囲】
【請求項１】
帯電粒子を含み揮発性を有する溶液を保持する保持部と、
前記保持部に保持された前記溶液を出力する出力部と、
前記帯電粒子と逆極性の電位を有し、前記帯電粒子を引きつけて回収する回収部とを含むことを特徴とする清掃装置。
【請求項２】
請求項１に記載された清掃装置であって、
前記出力部は、前記溶液を霧状に噴出する噴霧器、又は、前記溶液を塗布する塗布器であることを特徴とする清掃措置。
【請求項３】
請求項１に記載された清掃装置であって、
カメラ本体に含まれる光学系による像を撮像する撮像部を密封可能な密封部を含み、
前記出力部は、前記密封部により密封された部分に前記溶液を出力することを特徴とする清掃装置。
【請求項４】
請求項１に記載された清掃装置であって、
レンズ鏡筒の光学系による像が形成されるカメラ本体に形成されたレンズ鏡筒取り付け部に係合可能なマウント部を含むことを特徴とする清掃装置。
【請求項５】
請求項１から請求項４の何れか１項に記載された清掃装置であって、
前記溶液に含有される前記帯電粒子には、粒径が１０×１０−９ｍ以下のものが含まれることを特徴とする清掃装置。
【請求項６】
請求項１から請求項５までの何れか１項に記載された清掃装置を備えたことを特徴とする光学機器。
【発明の詳細な説明】
【技術分野】
【０００１】
この発明はカメラ等の光学機器用の清掃装置及びその清掃装置を備えた光学機器に関する。
【背景技術】
【０００２】
従来、清掃部を備えるアクセサリ装置（清掃装置）が知られている（下記特許文献１参照）。このアクセサリ装置にはレンズマウントが設けられている。このレンズマウントによってアクセサリ装置はカメラボディに設けられたカメラマウントに着脱可能である。
【０００３】
清掃部は送風室と吸引室と循環室とを有する。
【０００４】
送風室には、円筒電極と、この円筒電極に対向する針状電極とが設けられている。
【０００５】
吸引室には、送風室と同様に、円筒電極と、この円筒電極に対向する針状電極とが設けられている。
【０００６】
循環室には２つのフィルタが設けられている。一方のフィルタは循環室と送風室との間に配置され、他方のフィルタは循環室と吸引室との間に配置されている。
【０００７】
カメラボディのバッテリにより充電されたコンデンサによって針状電極は負に高圧帯電され、円筒状電極は正に高圧帯電される。その結果、円筒状電極と針状電極との間にコロナ放電が発生し、イオン化された空気流が発生する。
【０００８】
送風室で発生した空気流は光学フィルタに吹き付けられる。空気流はイオン化されているので、光学フィルタ上に帯電して付着したゴミが除去される。
【０００９】
光学フィルタに吹き付けられた空気流は吸引室に吸引される。
【００１０】
吸引室に吸引された空気は循環室を介して送風室に戻される。このとき、空気中のゴミはフィルタによって除去される。
【特許文献１】特開２００５−２９５１５２号公報（段落００２７〜００３１、図２参照）
【発明の開示】
【発明が解決しようとする課題】
【００１１】
上述の清掃装置では、静電気により光学フィルタに付着した金属粉、プラスチック粉等のゴミを除去できる。しかし、塗膜、皮膚等の有機物のゴミや、油等によって光学フィルタに付着した金属粉、プラスチック粉等を確実に除去できない。
【００１２】
この発明はこのような事情に鑑みてなされたもので、その課題は塵埃を除去することができる清掃装置及び光学装置を提供することである。
【課題を解決するための手段】
【００１３】
前述の課題を解決するため請求項１の発明の清掃装置は、帯電粒子を含み揮発性を有する溶液を保持する保持部と、前記保持部に保持された前記溶液を出力する出力部と、前記帯電粒子と逆極性の電位を有し、前記帯電粒子を引きつけて回収する回収部とを含むことを特徴とする。
【００１４】
請求項２の発明は、請求項１に記載された清掃装置であって、前記出力部は、前記溶液を霧状に噴出する噴霧器、又は、前記溶液を塗布する塗布器であることを特徴とする。
【００１５】
請求項３の発明は、請求項１に記載された清掃装置であって、カメラ本体に含まれる光学系による像を撮像する撮像部を密封可能な密封部を含み、前記出力部は、前記密封部により密封された部分に前記溶液を出力することを特徴とする。
【００１６】
請求項４の発明は、請求項１に記載された清掃装置であって、レンズ鏡筒の光学系による像が形成されるカメラ本体に形成されたレンズ鏡筒取り付け部に係合可能なマウント部を含むことを特徴とする。
【００１７】
請求項５の発明は、請求項１から請求項４の何れか１項に記載された清掃装置であって、前記溶液に含有される前記帯電粒子には、粒径が１０×１０−９ｍ以下のものが含まれることを特徴とする。
【００１８】
請求項６の発明の光学機器は、請求項１から請求項５までの何れか１項に記載された清掃装置を備えたことを特徴とする。
【発明の効果】
【００１９】
この発明によれば、塵埃を確実に除去することができる。
【発明を実施するための最良の形態】
【００２０】
以下、この発明の実施の形態を図面に基づいて説明する。
【００２１】
図１はこの発明の第１実施形態に係る清掃装置をカメラボディに装着した状態を示す概念図、図２は図１に示す清掃装置の構成を示す概念図である。
【００２２】
図１に示すように、清掃装置１０は交換レンズ型一眼レフカメラのカメラボディ（カメラ本体）９１に装着されて使用される。カメラボディ９１の前面には図示しない交換レンズ（レンズ鏡筒）を装着するためのレンズマウント９２が設けられている。カメラボディ９１内には固体撮像素子であるＣＣＤ(charge-coupled device)９３が収容されている。ＣＣＤ９３の前方にはローパスフィルタ９４が配置されている。また、カメラボディ９１内にはクイックリターンミラー（図示せず）によって反射された光をファインダへ反射するペンタプリズム９５が収容されている。
【００２３】
図２に示すように、清掃装置１０は清掃装置本体１と溶剤槽（保持部）２とセンターアーム駆動機構３とマウント装着部（マウント部）４とセンターアーム５とノズル（出力部）６とゴミ吸着部（回収部）８とを有する。
【００２４】
清掃装置本体１は筐体状である。
【００２５】
溶剤槽２は清掃措置本体１内に収容されている。溶剤槽２は例えばナノ粒子含有溶剤を貯える。
【００２６】
ナノ粒子含有溶剤は溶剤とナノ粒子と界面活性剤とで構成される。
【００２７】
溶剤としては、芳香族、脂肪族系溶剤、エステル系溶剤、アルコール系溶剤、ケトン系溶剤が挙げられる。芳香族、脂肪族系溶剤の具体例としては、トルエン、キシレン、高沸点溶剤、ターペン／ナフテン系溶剤等が挙げられる。エステル系溶剤の具体例としては、酢酸エチル、酢酸プチル、酢酸イソプチル等が挙げられる。アルコール系溶剤としては、メタノール、エタノール、ＩＰＡ、グリコール系溶剤等が挙げられる。ケトン系溶剤としてはアセトン、ＭＥＫ、ＭＩＢＫ、アノン等が挙げられる。
【００２８】
ナノ粒子（粒子の粒径がｎｍ（ナノメートル）で示されるもの）としては、金属ナノ粒子、セラミックス粒子、ガラス粒子、プラスチック粒子等が挙げられる。ナノ粒子は例えばプラスに帯電している。
【００２９】
界面活性剤は、親水性部分がイオン性（カチオン性・アニオン性・双性）であるのものと、非イオン性（ノニオン性）であるのものとに大別される。また、界面活性剤は低分子系のものと高分子系のものとに分類されることもある。
【００３０】
アニオン性界面活性剤は、親水基としてカルボン酸、スルホン酸、或いはリン酸構造を持つものが多い。カルボン酸系のものとして、石鹸の主成分である脂肪酸塩やコール酸塩が、スルホン酸系のものとして、合成洗剤に多く使われる直鎖アルキルベンゼンスルホン酸ナトリウムやポリアクリルアミドゲル、電気泳導にも利用されるラウリル硫酸ナトリウム等がある。
【００３１】
カチオン性界面活性剤は、親水基としてテトラアルキルアンモニウムを持つものが多い。逆性石鹸等に利用される。
【００３２】
双性（両性）界面活性剤は、分子内にアニオン性部位とカチオン性部位の両方を持っているもので、上記のそれぞれを組み合わせた構造を持つ。
【００３３】
非イオン性（ノニオン性）界面活性剤として、イオン化しない親水性部分を持つもので、アルキルグリコシドのような低分子系のもの、或いはポリエチレングリコールやポリビニルアルコールのような高分子系のものが存在する。
【００３４】
陰イオン系（アニオン系）界面活性剤の具体例としては次のものがある。
【００３５】
脂肪酸系（陰イオン）−純石けん分（脂肪酸ナトリウム）、純石けん分（脂肪酸カリウム）、アルファスルホ脂肪酸エステルナトリウム、直鎖アルキルベンゼン系−直鎖アルキルベンゼンスルホン酸ナトリウム、高級アルコール系（陰イオン）−アルキル硫酸エステルナトリウム、アルキルエーテル硫酸エステルナトリウム、アルファオレフィン系−アルファオレフィンスルホン酸ナトリウム、ノルマルパラフィン系−アルキルスルホン酸ナトリウム。
【００３６】
非イオン系（ノニオン系）界面活性剤の具体例としては次のものがある。
【００３７】
脂肪酸系（非イオン系）−しょ糖脂肪酸エステルソルビタン脂肪酸エステル、ポリオキシエチレンソルビタン脂肪酸エステル、脂肪酸アルカノールアミド、高級アルコール系（非イオン系）−ポリオキシエチレンアルキルエーテル、アルキルフェノール系−ポリオキシエチレンアルキルフェニルエーテル。
【００３８】
両性イオン界面活性剤の具体例としては次のものがある。
【００３９】
アミノ酸系−アルキルアミノ脂肪酸ナトリウム、ベタイン系−アルキルベタイン、アミンオキシド系−アルキルアミンオキシド。
【００４０】
陽イオン系界面活性剤の具体例としては次のものがある。
【００４１】
第四級アンモニウム塩基−アルキルトリメチルアンモニウム塩、ジアルキルジメチルアンモニウム塩。
【００４２】
センターアーム駆動機構３は清掃装置本体１内に設けられている。センターアーム駆動機構３はセンターアーム５をｘ軸方向及びｙ軸方向（図１、図２参照）へ移動させる。
【００４３】
マウント装着部４は清掃装置本体１の前面（カメラボディ９１側面）に設けられている。マウント装着部４はカメラボディ９１のレンズマウント９２に着脱可能である。マウント装着部４がレンズマウント９２に固定されることにより、清掃装置１がカメラボディ９１に装着される。
【００４４】
センターアーム５はほぼ筒状であり、ｘ軸及びｙ軸に直交するｚ軸方向（図２参照）へ伸縮可能である。
【００４５】
塗布ノズル６の大部分はセンターアーム５に収容され、塗布ノズル６の先端部はセンターアーム５から突出し、他端部は溶剤槽２に接続されている。塗布ノズル６の先端部にはパッド（塗布器）７が設けられている。パッド７はスポンジ状の部材であり、溶剤がパッド７に浸み込む。パッド７をローパスフィルタ９４に押しつけると、浸み込んだ溶剤が滲み出る。
【００４６】
センターアーム５の先端部にゴミ吸着部８が設けられている。ゴミ吸着部８として所定の電位を発生させるための電極が用いられている。
【００４７】
次のこの清掃装置の動作について説明する。
【００４８】
予めカメラボディ９１から交換レンズを外しておく。
【００４９】
まず、図１に示すように、清掃装置のセンターアーム５及びノズル６をカメラボディ９１内に挿入するとともに、マウント装着部４をカメラボディ９１のレンズマウント９２に固定する。このようにして清掃装置１０をカメラボディ９１に装着する。
【００５０】
図示しない清掃スタートボタンを押すと、センターアーム５が伸び、パッド７がローパスフィルタ９４に所定の圧力で接触し、その後、センターアーム５とともにパッド７がｘ軸方向及びｙ軸方向へ動く。その結果、パット７から滲み出た溶剤（プラスに帯電したナノ粒子を含有する溶剤）がローパスフィルタ９４の全面に塗布される。ローパスフィルタ９４に塗布された溶剤は皮脂、油等を分解する。
【００５１】
溶剤の塗布後、センターアーム５は縮み、パッド７から離れる。溶剤は自然乾燥する。このとき、ナノ粒子はローパスフィルタ９４上のゴミに付着する。ナノ粒子はプラスに帯電しているので、ゴミはプラスに帯電する。すなわち、溶剤をローパスフィルタ９４に塗布し、乾燥させることによって、ローパスフィルタ９４に付着した多種類のゴミは全てプラスに帯電したゴミとなる。
【００５２】
溶剤の乾燥後、センターアーム５を伸ばし、ゴミ吸着部８をローパスフィルタ９４に近づけるとともに、ゴミ吸着部８をマイナスに帯電させる。その結果、ローパスフィルタ９４上のプラスに帯電したゴミが電場の力によってゴミ吸着部８に吸引され、ローパスフィルタ９４上のゴミが除去される。
【００５３】
以上のように、第１実施形態によれば、ナノ粒子含有溶剤によってローパスフィルタ９４上のゴミをプラスに帯電させ、そのゴミをマイナスに帯電したゴミ吸着部８で吸引するので、ゴミの種類にかかわらずローパスフィルタ９４上の全てのゴミを確実に除去できる。
【００５４】
図３はこの発明の第２実施形態に係る清掃装置の囲い枠がローパスフィルタを覆っている状態を示す概念図である。
【００５５】
第１実施形態と共通する部分については同一符号を付してその説明を省略する。以下、主な相違部分についてだけ説明する。
【００５６】
第２実施形態では、図３に示すように、センターアーム２０５の先端部に囲い枠（密封部）２１１が設けられている。囲い枠２１１はローパスフィルタ９４を囲う。囲い枠２１１の内面にはシール部材（図示せず）が設けられており、このシール部材によって囲い枠２１１とローパスフィルタ９４との間が水密状態にシールされる。
【００５７】
ノズル２０６の先端部は囲い枠２１１に接続されており、ノズル２０６の先端部にはパッドが設けられていない。ノズル２０６の後端部は溶剤槽（図示せず）に接続されている。
【００５８】
センターアーム２０５はｚ軸方向へ伸縮するが、ｘ軸、ｙ軸方向へ動かない。
【００５９】
次に、清掃装置の動作について説明する。第１実施形態と共通する動作については説明を省略する。
【００６０】
図示しない清掃スタートボタンを押すと、センターアーム２０５が伸び、囲い枠２１１がローパスフィルタ９４に嵌合する。
【００６１】
その後、ノズル２０６を介して溶剤槽内のナノ粒子含有溶剤ｎが囲い枠２１１内に供給され、ローパルフィルタ９４が前面を溶剤で浸される。
【００６２】
その結果、溶剤によって皮脂や油が分解されるとともに、ナノ粒子がゴミに付着し、ゴミがプラスに帯電する。
その後、ゴミ吸着部８をマイナスに帯電させる。その結果、ゴミ込み吸着部８はプラスに帯電したゴミを吸引する。
ゴミ吸引後、囲い枠２１１内の溶剤をノズル６を介して溶剤槽に戻す。
【００６３】
最後に、センターアーム２０５を縮めて囲い枠２１１をローパスフィルタ９４から外す。
【００６４】
第２実施形態によれば、第１実施形態と同様の作用効果を奏する。
【００６５】
なお、第１実施形態の変形例としては、パッドの代わりに刷毛を用いたものや、パッドの代わりにナノ粒子含有溶剤を霧状にしてローパスフィルタ９４に吹き付ける噴霧器を用いたものなどが考えられる。
【００６６】
また、第１実施形態ではセンターアーム５によってノズル６をｘ軸方向及びｙ軸方向へ移動できるようにしたが、パッド７の大きさがローパスフィルタ９４の大きさとほぼ同じ場合やパッド７の代わりに噴霧器を用いた場合には、ノズル６をｘ軸方向及びｙ軸方向へ移動できるようにしなくともよい。
【００６７】
なお、第１実施形態では、ナノ粒子含有溶剤をパッド７によってローパスフィフィルタ
に塗布した後、ナノ粒子含有溶剤を自然乾燥させたが、ブロアやヒーター等を用いてナノ粒子溶剤を強制的に乾燥させてもよい。
【００６８】
また、上述の実施形態では、ゴミをプラスに帯電させる溶剤としてナノ粒子含有溶剤を用いたが、溶剤はこれに限られず、ナノ粒子よりも大きな粒子を含有した溶剤であってもよく、要はゴミを帯電させることができるものであればよい。
【００６９】
なお、上述の実施形態では、ナノ粒子によってゴミをプラスに帯電させ、ゴミ吸着部８をマイナスに帯電させたが、ゴミをマイナスに帯電させ、ゴミ吸着部８をプラスに帯電させてもよい。
【００７０】
また、上述の実施形態は、ローパスフィルタ９４を清掃するものであるが、清掃の対象物はローパスフィルタ９４に限られず、ローパスフィルタ９４が設けられていない場合等、ＣＣＤ９３を清掃対象物とすることもできる。
【００７１】
なお、上述の実施形態では、清掃装置をカメラボディに装着して使用するようにしたが、清掃装置を小型化し、カメラボディに設けて、清掃装置内蔵のカメラとしてもよい。
【図面の簡単な説明】
【００７２】
【図１】図１はこの発明の第１実施形態に係る清掃装置をカメラボディに装着した状態を示す概念図である。
【図２】図２は図１に示す清掃装置の構成を示す概念図である。
【図３】図３はこの発明の第２実施形態に係る清掃装置の囲い枠がローパスフィルタを覆っている状態を示す概念図である。
【符号の説明】
【００７３】
１：清掃装置本体、２：溶剤槽（保持部）、４：マウント装着部（マウント部）、５：センターアーム、６：ノズル（出力部）、７：パッド（塗布器）、８：ゴミ吸着部（回収部）
【図１】
2008160656.tif 000003
【図２】
2008160656.tif 000004
【図３】
2008160656.tif 000005